(57)【要約】【課題】  任意の場所に固定することができ、かつリサイクル時には容易に取り外すことができ、更に保証温度内で使用されているかを容易に確認することができる中継コネクタを提供する。【解決手段】  ２つのハーネスの間にセットすることにより両ハーネス間の信号の受け渡しを行い、かつ温度の違いにより色が変化する材料を含んだ中継コネクタ本体１と、中継コネクタ本体１を固定するためのストッパー部４及び係止頭５と、係止頭５と連結し連結部分に力を加えた時に係止頭５による固定を解除する係止頭ロック解除部６を備えた中継コネクタ。【選択図】        図１
2006019129.tif 000002
【特許請求の範囲】
【請求項１】
２つのハーネスの間にセットすることにより両ハーネス間の信号の受け渡しを行い、かつ温度の違いにより色が変化する材料を含んだ中継コネクタ本体と、中継コネクタ本体から一体的に延びた係止部材と、を備え、
係止部材は、中継コネクタ本体から延びた基部、基部に設けたストッパー部、係止頭、及び係止頭と連結した係止頭ロック解除部と、を備え、
係止頭ロック解除部を解除方向に加圧した時に係止頭が縮小して固定を解除するように構成されていることを特徴とする中継コネクタ。
【請求項２】
請求項１の中継コネクタにおいて、中継コネクタ本体は、両側面にそれぞれ対向する複数のコネクタ嵌合部を有していることを特徴とする中継コネクタ。
【請求項３】
請求項１の中継コネクタにおいて、中継コネクタ本体は、一端に単一のコネクタ嵌合部を有し、他端に複数のコネクタ嵌合部を有していることを特徴とする中継コネクタ。
【請求項４】
請求項１の中継コネクタにおいて、中継コネクタ本体は、一端に複数のコネクタ嵌合部を有し、他端に異なる数のコネクタ嵌合部を有していることを特徴とする中継コネクタ。
【発明の詳細な説明】
【技術分野】
【０００１】
本発明は、電子機器のハーネスを中継する中継コネクタに関する。
【背景技術】
【０００２】
電子機器において２つのハーネス端部に固定されたコネクタ間を接続する場合には、中継コネクタが使用される。中継コネクタを機器内の適所に固定して使用する時は、例えば板金に中継コネクタが通れる程度の穴を空け、中継コネクタを途中までその穴に通した時に中継コネクタ上の掛止爪部を板金にロックさせることで、中継コネクタを固定するというパネルマウント方式が一般的に採用されている。
例えば、特許文献１には、コネクタ取付板に中継コネクタを取り付け、その中継コネクタを介してコネクタ取付板の前側のコネクタと後側のコネクタを接続する電子機器のコネクタ接続部において、手前側の一方向から中継コネクタに対する後側コネクタの差し込みを容易として取付けの作業性を向上させる技術が提案されている。
【特許文献１】特開平８−７６５３７号公報
【発明の開示】
【発明が解決しようとする課題】
【０００３】
上記パネルマウント方式では、中継コネクタを固定して使用できる場所が限定されるという問題がある。また近年環境問題としてリサイクル対応というのが重要なテーマとなっているが、現状のパネルマウント方式では、固定時に一度ロックすると容易に外すことができず、リサイクルに供しにくくなるという問題もある。更に、中継コネクタ支持部等から伝達される熱によって中継コネクタ近傍の温度が上昇し、中継コネクタ及び中継コネクタに接続するハーネスを保証温度外（保証温度以上の環境）で使用してしまい、安全上の問題を引き起こしてしまうという問題もある。
本発明は、任意の場所に固定することができ、かつリサイクル時には容易に取り外すことができ、更に保証温度内で使用されているか否かを容易に確認することができる中継コネクタを提供することを目的とする。
【課題を解決するための手段】
【０００４】
上記目的を達成するために、請求項１記載の発明は、２つのハーネスの間にセットすることにより両ハーネス間の信号の受け渡しを行い、かつ温度の違いにより色が変化する材料を含んだ中継コネクタ本体と、中継コネクタ本体から一体的に延びた係止部材と、を備え、係止部材は、中継コネクタ本体から延びた基部、基部に設けたストッパー部、係止頭、及び係止頭と連結した係止頭ロック解除部と、を備え、係止頭ロック解除部を解除方向に加圧した時に係止頭が縮小して固定を解除するように構成されていることを特徴とする。
請求項２記載の発明は、請求項１の中継コネクタにおいて、中継コネクタ本体は、両端にそれぞれ対向する複数のコネクタ嵌合部を有している中継コネクタを主要な特徴とする。
請求項３記載の発明は、請求項１の中継コネクタにおいて、中継コネクタ本体は、一端に単一のコネクタ嵌合部を有し、他端に複数のコネクタ嵌合部を有している中継コネクタを主要な特徴とする。
請求項４記載の発明は、請求項１の中継コネクタにおいて、中継コネクタ本体は、一端に複数のコネクタ嵌合部を有し、他端に異なる数のコネクタ嵌合部を有している中継コネクタを主要な特徴とする。
【発明の効果】
【０００５】
本発明の中継コネクタは、２つのハーネスの間にセットすることにより両ハーネス間の信号の受け渡しを行い、かつ温度の違いにより色が変化する材料を含んだ中継コネクタ本体と、中継コネクタ本体を固定するためのストッパー部及び係止頭と、係止頭と連結し連結部分に力を加えた時に係止頭の固定を解除する係止頭ロック解除部を備えているので、所期の目的を達成することができる。
【発明を実施するための最良の形態】
【０００６】
以下、本発明の各実施形態例を図面に従って説明する。
（実施形態例１）
図１は実施形態例１に係る中継コネクタ及びその周囲の外観斜視図である。中継コネクタＡは、その左側面にコネクタ（左）８と嵌合するコネクタ嵌合部（左）２を有すると共に、右側面にコネクタ（右）１０と嵌合するコネクタ嵌合部（右）３を有した直方体状のブロックから成る中継コネクタ本体(以下、単に本体と呼ぶ)１と、本体１の下部に一体化された本体１を固定するストッパー部４及び係止頭５と、係止頭５と連結し連結部分に力を加えた時に固定された状態を解除する係止頭ロック解除部６とからなる。ストッパー部４、係止頭５、及び係止頭ロック解除部６は、係止部材Ｂを構成している。即ち、樹脂等の可撓性を備えた材料から成る係止部材は、本体１の底面から下方へ延びる細幅帯状材を所要形状に成形した一体構成を有し、全体として略矢印形を有している。ストッパー部４は本体１の底面から下方へ延びる基部ａの側面から側方（やや下向き）に突出しており、係止頭５は基部ａの先端から矢印の頭部の如き形状に連設されており、更に係止頭ロック解除部６は、係止頭５の他端部をストッパー部４とは反対側の側方へ（やや下向き）突出させた形状を有している。
なお本体１、係止部材Ｂ（基部ａ、ストッパー部４、係止頭５、及び係止頭ロック解除部６）の一部又は全ては、サーモクロミックの様な温度の違いにより色が変化する材料が付加されているため、保証温度を越えた時には中継コネクタＡの色が変わる。この中継コネクタＡの係止頭５を係止頭５に対応した形状の固定部（電子機器の適所に設けた穴）７にセットすると、係止頭５及びストッパー部４の間で本体１が固定される。
またコネクタ（左）８はハーネス（左）９の一部であり、同様にコネクタ（右）１０はハーネス（右）１１の一部である。コネクタ嵌合部（左）２及びコネクタ嵌合部（右）３は中継コネクタＡ(の本体１)内で導通しているため、コネクタ（左）８とコネクタ嵌合部（左）２及びコネクタ（右）１０とコネクタ嵌合部（右）３を嵌合した時、ハーネス（左）９とハーネス（右）１１は導通する。
【０００７】
図２（ａ）、（ｂ）は中継コネクタＡの固定解除方法を示す説明図である。中継コネクタＡを固定部７に固定した状態で、ストッパー部４、係止頭５、係止頭ロック解除部６、及び係止頭５に対応した形状の固定部７の部分を抜き出した図である。
まず図２（ａ）は係止頭５を固定部７の穴内に圧入することによって係止した状態を示しており、係止頭５の顎部５ａとストッパー部４との間、及び係止頭５の顎部５ｂと係止頭ロック解除部６との間で、穴７の周縁を係止した状態を示している。この状態から係止頭ロック解除部６を内側（解除方向）に加圧して係止頭５を縮小方向へ弾性変形させることにより、係止頭５が固定部７から固定解除可能となった状態を示した図が（ｂ）である。（ｂ）の状態で（図示されていない）本体１を上方向に持ち上げることにより容易に取り外すことができる。またこの構成であれば、係止頭５に対応した形状の固定部７を特殊な形状にすることなく、従来クランプを固定する時に使用する丸穴のままで中継コネクタＡを容易に取り外すことができる。
本実施形態例により、固定部に特殊な形状の穴を用いずに、どこにでも中継コネクタＡを固定すること及び容易に取り外すことが可能になり、かつ中継コネクタＡを保証温度内で使用しているかを容易に確認することができる。
【０００８】
（実施形態例２）
図３は実施形態例２に係る中継コネクタ及びその周囲の外観斜視図である。温度により色が変わり、複数のハーネスを接続でき、固定可能で取り外し容易な中継コネクタＡを示すものである。
中継コネクタＡは、コネクタ（左上）３０と嵌合するコネクタ嵌合部（左上）２２、コネクタ（左下）３１と嵌合するコネクタ嵌合部（左下）２３、コネクタ（右上）３４と嵌合するコネクタ嵌合部（右上）２４、コネクタ（右下）３５と嵌合するコネクタ嵌合部（右下）２５を内部に持つ本体２１と、本体１の下部にあり本体１を固定するストッパー部２６及び係止頭２７と、係止頭２７と連結し連結部分に力を加えた時に固定された状態を解除する係止頭ロック解除部２８からなる。
なお本体２１、係止部材Ｂ（基部ａ、ストッパー部２６、係止頭２７、係止頭ロック解除部２８）の全て又は一部はサーモクロミックの様な温度の違いにより色が変化する材料が付加されているため、保証温度を越えた時には中継コネクタＡの色が変わる。この中継コネクタＡの係止頭２７を係止頭２７に対応した形状の固定部２９にセットすると、ストッパー部２６及び係止頭２７の間で中継コネクタＡが固定される。符号３２、３３、３６、３７はハーネスである。
図４は実施形態例２の中継コネクタの内部結線状態を示す図である。コネクタピン３８によりコネクタ嵌合部（左上）２２とコネクタ嵌合部（右上）２４、及びコネクタ嵌合部（左下）２３とコネクタ嵌合部（右下）２５が導通状態になっている。中継コネクタＡの固定解除は実施形態例１と同様である。また図４の内部結線状態により各コネクタを嵌合した時に、ハーネス３２とハーネス３６及びハーネス３３とハーネス３７がそれぞれ導通する。
本実施形態例により、実施形態例１の効果に加え、複数のハーネスを一つの中継コネクタで接続することができる効果を奏する。
【０００９】
（実施形態例３）
図５は実施形態例３に係る中継コネクタ及びその周囲の外観斜視図である。温度により色が変わり、ディジー接続機能を持ち固定可能で取り外し容易な中継コネクタＡを示すものである。
中継コネクタＡは、コネクタ（左上）４９と嵌合するコネクタ嵌合部（左上）４２、コネクタ（左下）５０と嵌合するコネクタ嵌合部（左下）４３、コネクタ（右）５３と嵌合するコネクタ嵌合部（右）４４を内部に持つ本体４１と、本体４１の下部にあり本体４１を固定するストッパー部４５及び係止頭４６と、係止頭４６と連結し連結部分に力を加えた時に固定された状態を解除する係止頭ロック解除部４７からなる。
なお本体４１、係止部材Ｂ（ストッパー部４５、係止頭４６、係止頭ロック解除部４７）の全て又は一部は、サーモクロミックの様な温度の違いにより色が変化する材料が付加されているため、保証温度を越えた時には中継コネクタＡの色が変わる。この係止頭４６を係止頭４６に対応した形状の固定部４８にセットすると、ストッパー部４５及び係止頭４６の間で本体４１が固定される。符号５１、５２、５４はハーネスである。
図６は実施形態例３の中継コネクタの内部結線状態を示す図である。コネクタピン５５によりコネクタ嵌合部（右）４４からの信号がコネクタ嵌合部（左上）４２及びコネクタ嵌合部（左下）４３に導通する。中継コネクタＡの固定解除は実施形態例１と同様である。また図６の内部結線状態により各コネクタを嵌合した時に、ハーネス５４の信号がハーネス５１及びハーネス５２に導通される。
本実施形態例により、実施形態例１の効果に加え、ディジー接続機能を持つ中継コネクタを実現することができる。
【００１０】
（実施形態例４）
図７は実施形態例４に係る中継コネクタ及びその周囲の外観斜視図である。温度により色が変わり、左右１対１の接続とディジー接続機能とを混合した機能を持ち、固定可能で取り外し容易な中継コネクタＡを示すものである。
中継コネクタＡは、コネクタ（左上）７１と嵌合するコネクタ嵌合部（左上）６２、コネクタ（右上）７７と嵌合するコネクタ嵌合部（右上）６５、コネクタ（左中央）７２と嵌合するコネクタ嵌合部（左中央）６３、コネクタ（左下）７３と嵌合するコネクタ嵌合部（左下）６４、コネクタ（右下）７８と嵌合するコネクタ嵌合部（右下）６６を内部に持つ本体６１と、本体６１の下部にあり本体６１を固定するストッパー部６７及び係止頭６８と、係止頭６８と連結し連結部分に力を加えた時に固定された状態を解除する係止頭ロック解除部６９からなる。
本体６１、係止部材Ｂ（基部ａ、ストッパー部６７、係止頭６８、係止頭ロック解除部６９）の一部又は全てはサーモクロミックの様な温度の違いにより色が変化する材料が付加されているため、保証温度を越えた時には中継コネクタＡの色が変わる。この係止頭６８を係止頭６８に対応した形状の固定部７０にセットすると、ストッパー部６７及び係止頭６８の間で中継コネクタＡが固定される。符号７４、７５、７６、７９、８０はハーネスである。
図８は実施形態例４の中継コネクタの内部結線状態を示す図である。コネクタピン８１によりコネクタ嵌合部（左上）６２とコネクタ嵌合部（右上）６５が導通し、コネクタピン８２によりコネクタ嵌合部（右下）６６からの信号がコネクタ嵌合部（左中央）６３及びコネクタ嵌合部（左下）６４に導通する。中継コネクタＡの固定解除は実施形態例１と同様である。また図８の内部結線状態により各コネクタを嵌合した時に、ハーネス７９の信号がハーネス７４に、ハーネス８０の信号がハーネス７５及びハーネス７６に導通される。
本実施形態例により、実施形態例１の効果に加え、左右１対１の接続とディジー接続機能とを混合した機能を持つ中継コネクタを実現することができる効果を奏する。
【図面の簡単な説明】
【００１１】
【図１】実施形態例１に係る中継コネクタ及びその周囲の外観斜視図。
【図２】中継コネクタの固定解除方法を示す説明図。
【図３】実施形態例２に係る中継コネクタ及びその周囲の外観斜視図。
【図４】実施形態例２の中継コネクタの内部結線状態を示す図。
【図５】実施形態例３に係る中継コネクタ及びその周囲の外観斜視図。
【図６】実施形態例３の中継コネクタの内部結線状態を示す図。
【図７】実施形態例４に係る中継コネクタ及びその周囲の外観斜視図。
【図８】実施形態例４の中継コネクタの内部結線状態を示す図。
【符号の説明】
【００１２】
１  中継コネクタ本体、２、３  コネクタ嵌合部、４  ストッパー部、５  係止頭、６  係止頭ロック解除部、７  固定部
【図１】
2006019129.tif 000003
【図２】
2006019129.tif 000004
【図３】
2006019129.tif 000005
【図４】
2006019129.tif 000006
【図５】
2006019129.tif 000007
【図６】
2006019129.tif 000008
【図７】
2006019129.tif 000009
【図８】
2006019129.tif 000010